(57)【要約】【課題】情報端末を通信ユニットに接近させる際に、通信ユニットやその周辺の電子部品の間に電気的な短絡が発生したり破損が生じたりしないようにする。【解決手段】電装品モジュール２００のサービスパネル１１２と対面する側に制御基板２４０が取り付けられ、情報端末３００と非接触でデータ通信を行う通信ユニット２４１がその制御基板２４０のサービスパネル１１２と対面する側に搭載されている。通信ユニット２４１及びその周辺の電子部品２４２は絶縁シート２６０により覆われている。【選択図】図４
2020134019.tif 000002
【特許請求の範囲】
【請求項１】
熱交換器室と機械室を有する筐体と、前記機械室に着脱自在又は開閉自在に取り付けられるメンテナンス用のサービスパネルと、前記サービスパネルと対面するよう前記機械室に取り付けられる電装品モジュールとを備えた空気調和機の室外機において、
前記電装品モジュールの前記サービスパネルと対面する側に制御基板が配置され、該制御基板に、電子部品と、情報端末と近距離で無線通信を行う通信ユニットとが搭載され、
前記通信ユニット及びその周辺の前記電子部品が絶縁部材により覆われていることを特徴とする室外機。
【請求項２】
請求項１に記載の室外機において、
前記絶縁部材は、絶縁シート、前記通信ユニット及びその周辺の前記電子部品に塗布した絶縁コーティング剤、又は絶縁性遮蔽板であることを特徴とする室外機。
【請求項３】
請求項２に記載の室外機において、
前記絶縁性遮蔽板は、前記情報端末を保持するホルダ部を備えることを特徴とする室外機。
【発明の詳細な説明】
【技術分野】
【０００１】
本発明は近距離無線通信システムであるＮＦＣ（Near Field Communication）システムを搭載した空気調和機の室外機に関する。
【背景技術】
【０００２】
室外機にＮＦＣシステムの通信ユニットを搭載し、その通信ユニットにスマートホン等の情報端末を接近させて、非接触でその情報端末との間で無線通信を行う空気調和機が提案されている（特許文献１，２）。このＮＦＣシステムを使用すれば、情報端末によって室外機の運転に必要な各種データを設定したり、室外機の状態を診断したりすることができる。
【先行技術文献】
【特許文献】
【０００３】
【特許文献１】ＷＯ２０１６／０８０３５２公報
【特許文献２】ＷＯ２０１６／２０８２２３公報
【発明の概要】
【発明が解決しようとする課題】
【０００４】
ところが、特許文献１，２に記載のＮＦＣシステムを採用すると、通信ユニットが室外機の筐体から露出する位置に配置されることになるので、その通信ユニットが室外機の筐体の内部に取り付けられた電装品モジュールから遠くなる。このため、通信ユニットと電装品モジュールを接続するケーブルの配線距離が長くなり、外来ノイズの影響を受け易くなったりコスト増加を招く問題がある。また、通信ユニットが外部に露出しているので、その通信ユニットに特別な防水機構を設ける必要が生じたり、人が容易に触れることができるためセキュリティが悪化する問題もある。
【０００５】
そこで、本発明者は、室外機の筐体の機械室に取り付けられる電装品モジュールの制御基板に通信ユニットを直接搭載しておいて、筐体のサービスパネルを取り外して電装品モジュールの制御基板を露出させてから、制御基板の通信ユニットに情報端末を接近させることで、通信端末と通信ユニットの間で無線通信を行わせることを着想した。
【０００６】
しかし、制御基板には様々な電子部品や構造物が密集して搭載されている。このため、通信ユニットを電装品モジュールに単に搭載したままでは、情報端末を通信ユニットに接近させる際に、その情報端末が通信ユニットやその周辺の電子部品に触れることでそれらの間に電気的な短絡が発生したり、その短絡や接触の衝撃によりそれらが破損したりするおそれがある。
【０００７】
本発明の目的は、情報端末を通信ユニットに接近させる際に、通信ユニットやその周辺の電子部品の間に電気的な短絡が発生したり破損が生じたりしないようにした室外機を提供することである。
【課題を解決するための手段】
【０００８】
本発明の一形態は、熱交換器室と機械室を有する筐体と、前記機械室に着脱自在又は開閉自在に取り付けられるメンテナンス用のサービスパネルと、前記サービスパネルと対面するよう前記機械室に取り付けられる電装品モジュールとを備えた空気調和機の室外機において、前記電装品モジュールの前記サービスパネルと対面する側に制御基板が配置され、該制御基板に、電子部品と、情報端末と近距離で無線通信を行う通信ユニットとが搭載され、前記通信ユニット及びその周辺の前記電子部品が絶縁部材により覆われていることを特徴とする。
【発明の効果】
【０００９】
本発明によれば、制御基板に搭載された通信ユニット及びその通信ユニットの周辺に搭載された電子部品が絶縁部材により覆われるので、サービスパネルを取り外してから通信ユニットに情報端末を接近させる際に、通信ユニットやその周辺の電子部品の間に電気的な短絡が発生したり破損が生じたりするおそれをなくすることができる。
【図面の簡単な説明】
【００１０】
【図１】室外機の斜視図である。
【図２】サービスパネルを取り外した室外機の斜視図である。
【図３】電装品モジュールの斜視図である。
【図４】第１実施例の電装品モジュールの側面図である。
【図５】第２実施例の電装品モジュールの側面図である。
【図６】第３実施例の電装品モジュールの側面図である。
【図７】第４実施例の電装品モジュールの側面図である。
【発明を実施するための形態】
【００１１】
＜第１実施例＞
本発明が適用される室外機１００を図１〜図３に示す。１１０はこの室外機１００の筐体であり、前面パネル１１１、その前面パネル１１１の右横のメンテナンス用の着脱自在のサービスパネル１１２、右側面パネル１１３、左側面パネル１１４、天面パネル１１５、背面パネル１１６、底面パネル１１７を備える。底面パネル１１７の下面には脚１１８が取り付けられている。
【００１２】
この筐体１１０は仕切板１１９によって、正面パネル１１１の奥側が熱交換器室１１０Ａとなり、サービスパネル１１２の奥側が機械室１１０Ｂとなるように、正面視で左右方向に区画されている。そして、熱交換器室１１０Ａには、図示しない室外熱交換器や送風ファンが配置されている。また、機械室１１０Ｂには、冷媒配管１１、圧縮機１２、アキュムレータ１３、図示しない四方弁等が配置されている。機械室１１０Ｂの内部は、サービスパネル１１２を取り外すことにより、室外機１００の正面から視認可能となっている。
【００１３】
２００は機械室１１０Ｂに取り付けられる電装品モジュールであり、正面がサービスパネル１１２と対面するよう機械室１１０Ｂに配置される導電性の固定板２１０と、固定板２１０の上部に取り付けられる長尺形状の導電性の上フレーム２２０と、固定板２１０の下部に取り付けられる長尺形状の導電性の下フレーム２３０と、固定板２１０のサービスパネル１１２と対面する側に取り付けられる制御基板２４０とを備える。つまり、制御基板２４０は電装品モジュール２００のサービスパネル１１２と対面する側に配置されている。上フレーム２２０と下フレーム２３０は電装品モジュール２００を機械室１１０Ｂに取り付けるためのものであるが、その取付構造については、本発明に直接関係しないので説明は省略する。
【００１４】
図４はこの電装品モジュール２００の側面図である。制御基板２４０は固定板２１０の正面、つまりサービスパネル１１２と対面する側に、スペーサ２５１を介在して搭載されている。そして、この制御基板２４０のサービスパネル１１２と対面する側である正面２４０ａには、接近させた情報端末３００との間で非接触で無線通信を行うＮＦＣシステムを形成する通信ユニット２４１と、複数の電子部品２４２が搭載されている。通信ユニット２４１の搭載位置は、図３に示すように、正面視で制御基板２４０の正面２４０ａの左上である。そして、通信ユニット２４１とその周辺に搭載される電子部品２４２は、上端がネジＢ１で固定板２１０に取り付けられた絶縁部材としての絶縁シート２６０で覆われている。絶縁シート２６０としては、例えばＰＳ（ポリスチレン）樹脂、ＰＥ（ポリエチレン）樹脂等を使用できる。なお、この絶縁シート２６０は、複雑化を避けるために図３では表示を省略している。
【００１５】
以上から、本実施例では、室外機１００のサービスパネル１１２を取り外せば、図２に示すように電装品モジュール２００が正面に露出するので、その電装品モジュール２００の制御基板２４０の通信ユニット２４１に、図４に示すように情報端末３００を接近させることで、その情報端末３００と通信ユニット２４１の間で無線によるデータ通信を行わせることが可能となる。
【００１６】
よって、情報端末３００と通信ユニット２４１に、室外機１００と接続される少なくとも１台の室内機のアドレスや能力等の設定機能、室外機１００自体や少なくとも１台の室内機の運転情報或いはエラー情報を情報端末３００にモニタ表示させる機能等を具備させておけば、情報端末３００を通信ユニット２４１に接近させて情報端末３００を操作することで、アドレスや能力等の設定、運転情報やエラ情報のモニタ表示等を行わせることができる。
【００１７】
このとき、通信ユニット２４１は制御基板２４０に直接実装されているので、その通信ユニット２４１と制御基板２４０を接続するケーブルは不要であり、外来ノイズの影響を受け難くコスト増加を招くこともない。また、通信ユニット２４１は筐体１１０の機械室１１０Ｂ内に取り付けられる電装品モジュール２００の制御基板２４０に搭載され、機械室１１０Ｂはサービスパネル１１２で閉じられるので、通信ユニット２４１のための特別な防水機構は必要はない。また、同様の理由から、通信ユニット２４３に人が簡単に触れることができなくなり、セキュリティが向上する。
【００１８】
さらに、情報端末３００を通信ユニット２４１に近づけても、通信ユニット２４１及びその周辺の電子部品２４２は絶縁シート２６０で覆われて保護されているので、その情報端末３００が通信ユニットやその周辺の電子部品に触れることでそれらの間に電気的な短絡が発生したり、その短絡や接触の衝撃によりそれらが破損したりするおそれもない。
【００１９】
＜第２実施例＞
図５に本発明の第２実施例を示す。本実施例では、第１実施例で使用していた絶縁シート２６０の代わりに、通信ユニット２４１とその周辺の電子部品２４２に、絶縁コーティング剤２７０を塗布したものである。絶縁コーティング剤２７０としては、例えばシリコンを使用できる。なお、図５では固定板２１０の表示を省略している。
【００２０】
本実施例においても、絶縁コーティング剤２７０によって通信ユニット２４１やその近辺の電子部品２４２は保護されるので、その情報端末３００が通信ユニットやその周辺の電子部品に触れることでそれらの間に電気的な短絡が発生したり、その短絡や接触の衝撃によりそれらが破損したりするおそれもない。
【００２１】
＜第３実施例＞
図６に本発明の第３実施例を示す。本実施例では、第１実施例で使用していた絶縁シート２６０に代えて、通信ユニット２４１とその周辺の電子部品２４２を覆う絶縁性遮蔽板２８０を使用したものである。この絶縁性遮蔽板２８０は、通信ユニット２４１及びその周辺の電子部品２４２を完全に覆う大きさの遮蔽部２８１と、遮蔽部２８１に対して例えば９０度で曲折した立上リ部２８２と、立上り部２８２に対して遮蔽部２８１と反対方向に例えば９０度で曲折した取付部２８３を有する。そして、取付部２８３がネジＢ２によって固定板２１０に取り付けられる。この絶縁性遮蔽板２８０としては、例えばＡＢＳ（アクリロニトリル・ブタジエン・スチレン）共重合樹脂が使用できる。
【００２２】
本実施例においても、絶縁性遮蔽板２８０によって通信ユニット２４１やその近辺の電子部品２４２は保護されるので、その情報端末３００が通信ユニットやその周辺の電子部品に触れることでそれらの間に電気的な短絡が発生したり、その短絡や接触の衝撃によりそれらが破損したりするおそれもない。
【００２３】
＜第４実施例＞
図７に本発明の第４実施例を示す。本実施例では、第３実施例で使用していた絶縁性遮蔽板２８０の遮蔽部２８１の正面側、つまりサービスパネル１１２と対面する側に、情報端末３００を収納可能なＬ字形状のホルダ部２８４を一体的に設けたものである。
【００２４】
本実施例においても、絶縁性遮蔽板２８０によって通信ユニット２４１やその近辺の電子部品２４２は保護されるので、その情報端末３００が通信ユニットやその周辺の電子部品に触れることでそれらの間に電気的な短絡が発生したり、その短絡や接触の衝撃によりそれらが破損したりするおそれもない。さらに、本実施例では、絶縁性遮蔽番２８０のホルダ部２８４で情報端末３００を保持することができるので、ホルダ部２８４に保持させた状態で情報端末３００を操作することができ、長時間に亘って安定して情報端末３００と通信ユニット２４１とのデータ通信を行うことができる。
【００２５】
＜その他の実施例＞
なお、第１実施例の絶縁シート２６０は固定板２１０ではなく、制御基板２４０に取り付けても良い。また、第３，第４実施例の絶縁性遮蔽板２８０も、固定板２１０ではなく、制御基板２４０に取り付けても良い。
【００２６】
また、以上の実施例ではメンテンナンス用のサービスパネル１１２として着脱自在なサービスパネルを使用した例で説明したが、機械室１１０Ｂを露出できるよう開閉自在となったサービスパネルを使用することもできる。この場合には、その開閉自在のサービスパネルを開いてから、通信ユニット２４１を露出させ、情報端末３００をその通信ユニット２４１に接近させて室外機１００自体やその室外機１００に配管で接続される室内機に関する必要なデータを設定したり、室外機１００や室内機の状態を情報端末３００にモニタ表示させてそれらを診断したりすることができる。
【符号の説明】
【００２７】
１００：室外機、１１０：筐体、１１２：サービスパネル
２００：電装品モジュール、２１０：固定板、２２０：上フレーム、２３０：下フレーム、２４０：制御基板、２４１：通信ユニット、２４２：電子部品、２６０：絶縁シート、２７０：絶縁コーティング剤、２８０：絶縁遮蔽板、２８４：ホルダ部
３００：通信端末
【図１】
2020134019.tif 000003
【図２】
2020134019.tif 000004
【図３】
2020134019.tif 000005
【図４】
2020134019.tif 000006
【図５】
2020134019.tif 000007
【図６】
2020134019.tif 000008
【図７】
2020134019.tif 000009